(57)【要約】【課題】子供の頭部の両側方の左右の視界の広がりを調節できるとともに、身体の発育に応じて子供の肩の両側方に位置する壁部の間隔を調節することのできる自動車用子供安全座席を提供する。【解決手段】自動車用子供安全座席は、座部１０と、背もたれ部３０とを備える。背もたれ部３０は、背面壁３１と、背面壁３１の上方領域の両側縁部に、縦方向に延びる軸線の周りを回動し得るように保持された一対の頭部保護側壁部３２ａ，３２ｂと、各頭部保護側壁部の回動角度を調節する回動角度調節機構と、背面壁３１の下方領域の両側部から立上って延びる壁を有し、背面壁の両側部から横方向にスライドし得るように背面壁に保持された一対の肩保護側壁部３３ａ，３３ｂと、一対の肩保護側壁部の間隔を調節する間隔調節機構とを備える。【選択図】図７
2007196713.tif 000002
【特許請求の範囲】
【請求項１】
自動車に備え付けのシートベルトを用いて自動車の座席上に固定される自動車用子供安全座席であって、
座部と、
前記座部の後端部から上方に立上って延びる背もたれ部とを備え、
前記背もたれ部は、
着座する子供の背面に位置する背面壁と、
前記背面壁の上方領域の両側縁部に、縦方向に延びる軸線の周りを回動し得るように保持された一対の頭部保護側壁部と、
前記各頭部保護側壁部の回動角度を調節する回動角度調節機構と、
前記背面壁の下方領域の両側部から立上って延びる壁を有し、背面壁の両側部から横方向にスライドし得るように背面壁に保持された一対の肩保護側壁部と、
前記一対の肩保護側壁部の間隔を調節する間隔調節機構とを備える、自動車用子供安全座席。
【請求項２】
前記座部に対する前記背もたれ部の高さを調節するための背もたれ高さ調節機構をさらに備える、請求項１に記載の自動車用子供安全座席。
【請求項３】
前記回動角度調節機構は、前記背面壁および前記頭部保護側壁部のうちの一方の側縁部に固定された縦軸と、前記縦軸を弾性的に挟むような形態を有して前記背面壁および前記頭部保護側壁部のうちの他方に固定された板ばねとを備える、請求項１または２に記載の自動車用子供安全座席。
【請求項４】
前記間隔調節機構は、前記各肩保護側壁部から幅方向内方に張り出して延びる一対の内方張出部と、各内方張出部の内方端部上の支持点から半径方向に延びるとともに支持点を中心として旋回可能に設けられた一対の係合軸と、前記一対の係合軸の先端を受入れる凹部を有し前記背もたれ部上に回転可能に保持された回転操作部材とを含む、請求項１〜３のいずれかに記載の自動車用子供安全座席。
【請求項５】
前記座部は、その両側部から上方に立上って延びる一対の座面側壁部を含み、
前記一対の座面側壁部のうちの少なくともいずれか一方の外側面には、飲料容器を保持するための飲料容器受台が取付けられている、請求項１〜４のいずれかに記載の自動車用子供安全座席。
【請求項６】
前記一対の座面側壁部の外側面には、前記飲料容器受台の取付部分を着脱可能に受入れる取付穴が設けられている、請求項５に記載の自動車用子供安全座席。
【請求項７】
前記座部の上方に配置されるインパクトシールドを備え、
前記インパクトシールドは、その前方端から後方端にまで延びる通気溝を有している、請求項１〜６のいずれかに記載の自動車用子供安全座席。
【発明の詳細な説明】
【技術分野】
【０００１】
この発明は、自動車に備え付けのシートベルトを用いて自動車の座席上に固定される自動車用子供安全座席に関するものであり、特に、幼児および学童に対して使用される自動車用ジュニアシートに関するものである。
【背景技術】
【０００２】
幼児および学童に対して使用される自動車用子供安全座席は、例えば特開２００１−２９４０６４号公報に開示されている。この公報に開示された自動車用子供安全座席は、子供の頭部領域および肩部領域を保護するため、外側に向けて移動可能に背もたれ部の両側に設けられる一対のサイドガードを備えている。一つの実施形態では、サイドガードが、独立して位置調節可能な上部サイドガードと下部サイドガードとを備える。
【特許文献１】特開２００１−２９４０６４号公報
【発明の開示】
【発明が解決しようとする課題】
【０００３】
特開２００１−２９４０６４号公報に開示された自動車用子供安全座席の一実施形態においては、一対の上部サイドガードおよび一対の下部サイドガードの幅方向の間隔をそれぞれ独立に調節できるようにしている。
【０００４】
子供の身体の発育を考えたとき、肩幅は成長に応じて大きくなるが、頭の幅はあまり変化しない。そのため、頭部の両側方に位置する一対の上部サイドガードの間隔を、必ずしも成長に応じて変更する必要はない。一対の上部サイドガードに関しては、間隔を変更することよりも、容易に左右の視界の広がりを大きくできるようにすることが望まれる。例えば、子供が眠っているときには上部のサイドガードを子供の両側頭部に近づけて首が左右に傾かないようにし、子供が起きているときには子供の頭部の両側方の広がりを大きくして左右の視界を大きくすることが望ましい。
【０００５】
この発明の目的は、子供の頭部の両側方の左右の視界の広がりを調節できるとともに、身体の発育に応じて子供の肩の両側方に位置する壁部の間隔を調節することのできる自動車用子供安全座席を提供することである。
【課題を解決するための手段】
【０００６】
この発明は、自動車に備え付けのシートベルトを用いて自動車の座席上に固定される自動車用子供安全座席であって、座部と、この座部の後端部から上方に立上って延びる背もたれ部とを備える。背もたれ部は、着座する子供の背面に位置する背面壁と、背面壁の上方領域の両側縁部に、縦方向に延びる軸線の周りを回動し得るように保持された一対の頭部保護側壁部と、各頭部保護側壁部の回動角度を調節する回動角度調節機構と、背面壁の下方領域の両側部から立上って延びる壁を有し、背面壁の両側部から横方向にスライドし得るように背面壁に保持された一対の肩保護側壁部と、一対の肩保護側壁部の間隔を調節する間隔調節機構とを備える。
【０００７】
上記構成の本発明によれば、身体の発育に応じて、あるいは子供の身体の大きさに応じて肩の両側方に位置する一対の肩保護側壁部の間隔を調節できる。さらに、各頭部保護側壁部が縦方向に延びる軸線の周りを回動し得るように設けられているので、子供の頭部の傾きを抑制したり、左右の視界の広がりを調節したりすることができる。
【０００８】
好ましい実施形態に係る自動車用子供安全座席は、座部に対する背もたれ部の高さを調節するための背もたれ高さ調節機構をさらに備える。この実施形態によれば、子供の身体の大きさに応じて、あるいは子供の発育に応じて背もたれ部の高さを調節して頭部保護側壁部および肩保護側壁部の高さを最適な位置にもたらすことができる。
【０００９】
好ましい実施形態では、回動角度調節機構は、背面壁の側縁部に固定された縦軸と、この縦軸を弾性的に挟むような形態を有して各頭部保護側壁部に固定された板ばねとを備える。この実施形態によれば、板ばねの弾性力を利用した摩擦力によって頭部保護側壁部の角度を任意の位置に固定できるので、角度変更が容易である。さらに、左右の頭部保護側壁部の角度を互いに独立して調節できる。なお、他の実施形態として、各頭部保護側壁部の内方側縁部に縦軸を固定し、背面壁の両側縁部に板ばねを固定するようにしてもよい。
【００１０】
好ましい実施形態では、間隔調節機構は、各肩保護側壁部から幅方向内方に張り出して延びる一対の内方張出部と、各内方張出部の内方端部上の支持点から半径方向に延びるとともに支持点を中心として旋回可能に設けられた一対の係合軸と、一対の係合軸の先端を受入れる凹部を有し背もたれ部上に回転可能に保持された回転操作部材とを含む。この実施形態によれば、回転操作部材を回転操作することにより一対の肩保護側壁部の間隔を簡単に調節できる。
【００１１】
好ましい実施形態では、座部は、その両側部から上方に立上って延びる一対の座面側壁部を含む。一対の座面側壁部のうちの少なくともいずれか一方の外側面には、飲料容器を保持するための飲料容器受台が取付けられている。この実施形態によれば、子供は、飲料容器を飲料容器受台に置くことができるので便利である。好ましくは、一対の座面側壁部の外側面には、飲料容器受台の取付部分を着脱可能に受入れる取付穴が設けられている。このようにすれば、飲料容器受台を左右の側面のいずれか一方に選択的に取付けることができるようになる。
【００１２】
好ましい実施形態に係る自動車用子供安全座席は、座部の上方に配置されるインパクトシールドを備える。このインパクトシールドは、その前方端から後方端にまで延びる通気溝を有している。インパクトシールドは、自動車用子供安全座席に着座した子供の前方部分において大きな嵩張りを持つが、上記のような通気溝を設けることにより、座席内で空気が淀むのを避けることができる。
【発明を実施するための最良の形態】
【００１３】
図１〜図７を参照して、本発明の実施形態に係る自動車用子供安全座席の概略構成を説明する。図１および図２は布製のカバーを取付けている状態を示し、図３〜図７は布製のカバーを取外した状態を示している。
【００１４】
自動車用子供安全座席１は、自動車に備え付けのシートベルトを用いて自動車の座席上に固定されるものであり、座部１０と、この座部１０の後端部から上方に立上って延びる背もたれ部３０と、インパクトシールド７０とを備える。
【００１５】
背もたれ部３０は、着座する子供の背面に位置する背面壁３１と、背面壁３１の上方領域の両側縁部に、縦方向に延びる軸線の周りを回動し得るように保持された一対の頭部保護側壁部３２ａ，３２ｂと、各頭部保護側壁部の回動角度を調節する回動角度調節機構と、背面壁３１の下方領域の両側部から立上って延びる壁を有し、背面壁３１の両側部から横方向にスライドし得るように背面壁３１に保持された一対の肩保護側壁部３３ａ，３３ｂと、一対の肩保護側壁部３３ａ，３３ｂの間隔を調節する間隔調節機構とを備える。回動角度調節機構および間隔調節機構については、後に詳しく説明する。
【００１６】
背もたれ部３０は、座部１０に対して、高さ調節可能に設けられている。この背もたれ高さ調節機構についても、後に詳しく説明する。
【００１７】
座部１０は、その両側部から上方に立上って延びる一対の座面側壁部１１ａ，１１ｂを含む。インパクトシールド７０は、座面側壁部１１ａ，１１ｂ上の所定位置に固定保持される。図２５〜図２７は、布製カバーを取外した状態のインパクトシールド７０単体を示している。これらの図から明らかなように、インパクトシールド７０は、前方に開口を有する断面Ｃ字形状の形態を有している。自動車に備え付けのシートベルトは、インパクトシールド７０の開口部を通過するように案内される。
【００１８】
図示する自動車用子供安全座席１は、幼児から学童に至るまでの時期の子供を着座させるのに使用されるものであり、一般的にジュニアシートと呼ばれることもある。幼児期の子供を座らせるときにはインパクトシールド７０を取付けて使用する。この形態での使用のときには、車のシートベルトは子供の身体を拘束していない。
【００１９】
次の成長段階では、インパクトシールド７０を取外して使用する。この形態での使用のときには、車のシートベルトによって自動車用子供安全座席１に着座した子供の身体を拘束する。背もたれ部３０の一対の頭部保護側壁部３２ａ，３２ｂと一対の肩保護側壁部３３ａ，３３ｂとの間には、この形態での使用の際に、車のシートベルトを案内するための一対のベルト案内部材３５ａ，３５ｂが設けられている。
【００２０】
次の成長段階では、背もたれ部３０を座部１０から取外して使用する。成長して身体が大きくなった学童は、座部１０単体の上に座らされ、車のシートベルトによって身体を拘束される。
【００２１】
布製カバーを取外した図３〜図７から明らかなように、図示した実施形態では、背もたれ部３０を形成する壁および座部１０を形成する壁のほぼ全面に通気のための穴を設けている。
【００２２】
背もたれ部３０を座部１０に取付けた状態の自動車用子供安全座席１は、以下の３機能を実現できる。
【００２３】
すなわち、第１の機能は、一対の頭部保護側壁部３２ａ，３２ｂを、縦方向に延びる軸線の周りに回動させ得るようにしたことである。図８は、一対の頭部保護側壁部３２ａ，３２ｂを内側に回動させた状態を示している。例えば、子供が座席１上で眠ったとき、子供の頭が左右に傾くことがある。そのような場合、図示した実施形態では、図８に示すように一対の頭部保護側壁部３２ａ，３２ｂを内側に回動させれば、頭部保護側壁部３２ａ，３２ｂの内側面が子供の側頭部に近づくので、子供の頭が極端に左右に傾くのを抑制できる。なお、一対の頭部保護側壁部３２ａ，３２ｂの回動角度は、それぞれ、独立に調節できる。子供が座席上で起きているときには、左右の視界を広くするために、一対の頭部保護側壁部３２ａ，３２ｂを、図３に示すように、外側に広げるように回動させる。
【００２４】
第２の機能は、一対の肩保護側壁部３３ａ，３３ｂの間隔を調節可能にしたことである。図９は、一対の肩保護側壁部３３ａ，３３ｂを幅方向の外側にスライド移動させた状態を示している。着座する子供の身体が大きいとき、または成長して身体が大きくなったときには、一対の肩保護側壁部３３ａ，３３ｂの間隔を大きくする。
【００２５】
第３の機能は、背もたれ部３０の高さを調節可能にしたことである。図１０は、背もたれ部３０を上方に移動させた状態を示している。着座する子供の身体が大きいとき、または成長して身体が大きくなったときには、一対の肩保護側壁部３３ａ，３３ｂの間隔を大きくする。
【００２６】
図１１および図１２は、一対の頭部保護側壁部３２ａ，３２ｂの回動角度を調節するための回動角度調節機構３６の要部を示している。回動角度調節機構３６の一構成要素として、背もたれ部の背面壁３１には、長方形の金属棒３７が固定されている。また、回動角度調節機構３６の他の構成要素として、各頭部保護側壁部３２ａ，３２ｂには、金属棒３７の縦方向軸３７ａを弾性的に挟むような形態を有する板ばね３８が固定されている。具体的には、板ばね３８は、縦軸３７ａを挟むように折り曲げられ、その両端が頭部保護側壁部３２ａ，３２ｂに固定されている。この構造により、板ばね３８と金属棒３７の縦棒ａとの間には弾性力を利用した摩擦力が発生するので、各頭部保護側壁部３２ａ，３２ｂを任意の角度位置に固定保持できる。なお、縦軸を各頭部保護側壁部３２ａ，３２ｂに固定し、板ばねを背面壁３１の両側縁部に固定するようにしてもよい。
【００２７】
図１３〜図１５は、一対の肩保護側壁部３３ａ，３３ｂの間隔を調節するための間隔調節機構４０の要部を示している。これらの図においては、間隔調節機構４０の構造を良く見えるようにするために、背もたれ部３０の背面にある背面カバー部材３４を取外している。
【００２８】
間隔調節機構４０は、一構成要素として、一対の肩保護側壁部３３ａ，３３ｂから幅方向内方に張り出して延びる一対の内方張出部４１ａ，４１ｂを備える。各内方張出部４１ａ，４１ｂは長方形の平面形状を有しており、背面壁３１の背面に形成された案内溝４６に嵌っている。従って、各内方張出部４１ａ，４１ｂは、左右方向に直線移動できるだけである。
【００２９】
図１４から明らかなように、各内方張出部４１ａ，４１ｂの内方端部には、係合軸４２ａ，４２ｂが取付けられている。係合軸４２ａ，４２ｂは、支持点４７ａ，４７ｂから半径方向に延びるとともに支持点４７ａ，４７ｂを中心として旋回可能である。また、各係合軸４２ａ，４２ｂの先端は、後方に向かって折り曲げられている。
【００３０】
図１３に示す回転操作部材４３は、背面壁３１の背面上に回転可能に保持されている。回転操作部材４３は、押しボタン４４と、この押しボタンの押し操作によって内側に後退する突出部４５とを有する。突出部４５が背面カバー部材３４（図５参照）の係合凹部に係合した状態では、回転操作部材４３の回転が禁止される。押しボタン４４を押すと、突出部４５が後退して係合状態が解除されるので、回転操作部材４３を回転させることが可能になる。
【００３１】
図１４に示すように、回転操作部材４３の背面には、一対の係合軸４２ａ，４２ｂの折り曲げ先端部を受入れる凹部４３ａが形成されている。一方の係合軸４２ａの支持点４７ａは、回転操作部材４３の回転中心から右にずれた位置にあり、他方の係合軸４２ｂの支持点４７ｂは、回転操作部材４３の回転中心から左にずれた位置にある。従って、回転操作部材４３を回転させると係合軸４２ａ，４２ｂの折り曲げ先端部も回転するが、その際に支持点４７ａ，４７ｂを幅方向（左右方向）に押したり、引いたりすることになる。その結果、一対の肩保護側壁部３３ａ，３３ｂは、幅方向に移動するので、両者の間隔が変化する。
【００３２】
図１４は、一対の肩保護側壁部３３ａ，３３ｂの間隔が小さい状態を示し、図１５は、一対の肩保護側壁部３３ａ，３３ｂの間隔が大きい状態を示している。
【００３３】
図６および図１６は、座部１０に対する背もたれ部３０の高さを調節するための背もたれ高さ調節機構８０を示している。背もたれ高さ調節機構８０は、背もたれ部３０の背面壁３１に固定された上方パイプ９０と、座部１０に固定された下方パイプ９２とを備える。上方パイプ９０は、下方パイプ９２内に上下にスライド可能に受入れられている。また、背面壁３１には、上下方向に変位可能な操作ボタン８１が設けられている。この操作ボタン８１は、ばね８２によって常に上方位置にもたらされるように付勢されている。操作ボタン８１の左右の端部には、上方パイプ９０内に突出して延びる下方突出部８３が設けられている。
【００３４】
上方パイプ９０内には、縦棒８４、レバー部材８６、ロックピン８８およびばね８９が配置されている。縦棒８４は、操作ボタン８１の下方突出部８３に対面する上方端８４ａと、レバー部材８６の先端部分に対面する下端作用部８４ｂとを有する。この縦棒８４は、上方パイプ９０内を上下方向に変位可能であるが、ばね８５によって常に上方位置にもたらされるように付勢されている。レバー部材８６は、軸８７を中心に回動可能である。図示していないが、レバー部材８６は、例えばばねによって常に上方に回動するように付勢されている。
【００３５】
上方パイプ９０は、ロックピン８８の先端部に対面する位置に穴９１を有する。ロックピン８８は、レバー部材８６の下方折れ曲がり先端部に対面する位置に凹部８８ａを有する。また、ロックピン８８は、ばね８９によって常に上方パイプ９０の穴９１から突出するように付勢されている。
【００３６】
座部１０に固定された下方パイプ９２は、上方パイプ９０の穴９１に対面する領域に上下方向に離隔して位置する複数の穴９３を有している。図１６に示す状態では、ロックピン８８の先端部が、上方パイプ９０の穴９１を通過して、下方パイプ９２の最下方の穴９３に嵌っている。従って、背もたれ部３０は、最も低い位置に固定保持されている。
【００３７】
図１６に示す状態から、操作ボタン８１を下方に押すと縦棒８４が下方に移動し、レバー部材８６を下方に回動させる。すると、レバー部材８６の下方折れ曲がり先端部がロックピン８８の凹部８８ａに嵌り、ロックピン８８を後退させる。その結果、ロックピン８８と下方パイプ９２の穴９３との係合状態が解除されるので、背もたれ部３０を上方に移動させることが可能になる。
【００３８】
図１および図２に示すように、座部１０の一方の座面側壁部１１ｂの外側面には、飲料容器を保持するための飲料容器受台６０が取付けられている。飲料容器受台６０は、一方の座面側壁部１１ｂから取外して、他方の座面側壁部１１ａの外側面に取り付け可能である。このことを図１７〜図２２を用いて説明する。
【００３９】
図１７に示すように、一方の座面側壁部１１ｂの外側面には、１つの幅広穴１２および２つの幅狭穴１３が設けられている。座部１０を覆う布製カバーには、穴１２，１３を覆い隠すための覆いフラップ１４を有する。図１７では、覆いフラップ１４が捲られていて、穴１２、１３を露出している。他方の座面側壁部１１ａの外側面にも、同様に１つの幅広穴および２つの幅狭穴が設けられている。図１８に示す状態では、覆いフラップ１４がこれらの穴を覆い隠している。
【００４０】
飲料容器受台６０は、飲料容器を下から支持するためのカップ形状の容器受入部６１と、１つの幅広突出部６２と、２つの幅狭突出部６３とを有する。幅広突出部６２は、座面側壁部１１ａ，１１ｂの幅広穴１２内に受入れられ、幅狭突出部６３は、座面側壁部１１ａ，１１ｂの幅狭穴１３に受入れられる。図２１および図２２に示すように、幅広突出部６２は、弾性変形可能な樹脂製係合部材６５と、この樹脂製係合部材６５を裏面側から隠す裏面カバープレート６４とを有する。樹脂製係合部材６５は、Ｃ字状に湾曲した形状を有しており、一対の脚部先端に外方に突出した係合突起部６５ｂを有し、さらにほぼ中央の領域に外方に突出した一対の押しボタン部６５ａを有する。一対の押しボタン部６５ａを内側に押込むと、一対の係合突起部６５ｂが内側に後退する。一対の係合突起部６５ｂは、座面側壁部１１ａ，１１ｂの幅広穴１２内に形成された係合穴に係合し、飲料容器受台６０を座面側壁部から外れないようにする。飲料容器受台６０を取外す場合には、押しボタン部６５ａを内方に押込めばよい。
【００４１】
図２３は、布製カバー部材を取外した状態の座部１０を示している。座部１０は、その前端面に通気窓１５を有し、その座壁に通気窓１５に連通した複数の通気穴１６を有している。
【００４２】
図２４は、布製カバー部材を取外した状態のインパクトシールド７０を示している。インパクトシールド７０は、その前方端から後方端にまで延びる通気溝を有する。より具体的に説明する。インパクトシールド７０は、前方に開口を有する断面Ｃ字形状の樹脂製の内側部材７１と、この内側部材７１を囲い込む断面Ｃ字形状の発泡スチロール製の外側部材７２とを有する。
【００４３】
図２５〜図２７から明らかなように、インパクトシールド７０の外側部材は、Ｃ字状の断面形状を形成する上壁と、後壁と、下壁とを有する。下壁の底面には、その前方端から後方端にまで延びる複数の下方溝７３が形成され、下壁の上面には、その前方端から後壁の内面にまで延びる複数の上方溝７４が形成されている。後壁上に位置する上方溝７４の部分には、貫通穴７５が形成されている。こうして、通気性の良好なインパクトシールド７０が得られる。
【００４４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４５】
この発明は、自動車用子供安全座席として有利に利用され得る。
【図面の簡単な説明】
【００４６】
【図１】自動車用子供安全座席の全体を示す正面図である。
【図２】自動車用子供安全座席の全体を示す斜視図である。
【図３】カバーを取外した状態の自動車用子供安全座席の正面図である。
【図４】カバーを取外した状態の自動車用子供安全座席の側面図である。
【図５】カバーを取外した状態の自動車用子供安全座席の背面図である。
【図６】背面カバー部材を取外した状態の自動車用子供安全座席の背面図である。
【図７】カバーを取外した状態の自動車用子供安全座席の斜視図である。
【図８】一対の頭部保護側壁部を内側に回動させた状態の正面図である。
【図９】一対の肩保護側壁部の間隔を広げた状態の正面図である。
【図１０】背もたれ部を上方に移動させた状態の正面図である。
【図１１】回動角度調節機構の要部を示す正面図である。
【図１２】回動角度調節機構の要部を示す斜視図である。
【図１３】間隔調節機構の要部を示す図である。
【図１４】間隔調節機構の要部を示す図であり、（ａ）は回転操作部材を取外した状態を示す図であり、（ｂ）は回転操作部材の裏面を示す図である。
【図１５】一対の肩保護側壁部の間隔を広げた状態を示す図である。
【図１６】背もたれ高さ調節機構の要部を示す図解図である。
【図１７】一方の座面側壁部の外側面を示す図である。
【図１８】他方の座面側壁部の外側面を示す図である。
【図１９】飲料容器受台を示す斜視図である。
【図２０】飲料容器受台の側面図である。
【図２１】飲料容器受台の底面図である。
【図２２】飲料容器受台の裏面カバープレートを取外した状態の底面図である。
【図２３】座部単体を示す斜視図である。
【図２４】インパクトシールド単体を示す斜視図である。
【図２５】インパクトシールド単体を示す正面図である。
【図２６】インパクトシールドの内側部材と外側部材とを分離した状態を示す斜視図である。
【図２７】インパクトシールドの外側部材単体を示す正面図である。
【符号の説明】
【００４７】
１  自動車用子供安全座席、１０  座部、１１ａ，１１ｂ  座面側壁部、１２  幅広穴、１３  幅狭穴、１４  覆いフラップ、１５  通気窓、１６  通気穴、３０  背もたれ部、３１  背面壁、３２ａ，３２ｂ  頭部保護側壁部、３３ａ，３３ｂ  肩保護側壁部、３４  背面カバー部材、３５ａ，３５ｂ  ベルト案内部材、３６  回動角度調節機構、３７  金属棒、３７ａ  縦軸、３８  板ばね、４０  間隔調節機構、４１ａ，４１ｂ  内方張出部、４２ａ，４２ｂ  係合軸、４３  回転操作部材、４３ａ  凹部、４４  押しボタン、４５  突出部、４６  案内溝、４７ａ，４７ｂ  支持点、６０  飲料容器受台、６１  容器受入部、６２  幅広突出部、６３  幅狭突出部、６４  裏面カバープレート、６５  樹脂製係合部材、６５ａ  押しボタン部、６５ｂ  係合突起部、７０  インパクトシールド、７１  内側部材、７２  外側部材、７３  下方溝、７４  上方溝、７５  貫通穴、８０  背もたれ高さ調節機構、８１  操作ボタン、８２  ばね、８３  下方突出部、８４  縦棒、８４ａ  上方端、８４ｂ  下端作用部、８５  ばね、８６  レバー部材、８７  軸、８８  ロックピン、８８ａ  凹部、８９  ばね、９０  上方パイプ、９１  穴、９２  下方パイプ、９３  穴。
【図１】
2007196713.tif 000003
【図２】
2007196713.tif 000004
【図３】
2007196713.tif 000005
【図４】
2007196713.tif 000006
【図５】
2007196713.tif 000007
【図６】
2007196713.tif 000008
【図７】
2007196713.tif 000009
【図８】
2007196713.tif 000010
【図９】
2007196713.tif 000011
【図１０】
2007196713.tif 000012
【図１１】
2007196713.tif 000013
【図１２】
2007196713.tif 000014
【図１３】
2007196713.tif 000015
【図１４】
2007196713.tif 000016
【図１５】
2007196713.tif 000017
【図１６】
2007196713.tif 000018
【図１７】
2007196713.tif 000019
【図１８】
2007196713.tif 000020
【図１９】
2007196713.tif 000021
【図２０】
2007196713.tif 000022
【図２１】
2007196713.tif 000023
【図２２】
2007196713.tif 000024
【図２３】
2007196713.tif 000025
【図２４】
2007196713.tif 000026
【図２５】
2007196713.tif 000027
【図２６】
2007196713.tif 000028
【図２７】
2007196713.tif 000029